(57)【要約】【課題】簡易な構造で風圧力を軽減できるカバー部材を提供する。【解決手段】カバー部材４は、屋外に設置される電子機器を覆う部材であって、常時開放する第１の開口部４ｂと、通常時は蓋５によって閉止され、風圧を受けると蓋５が弾性的に内側に変形して開放される第２の開口部４ｃ，４ｄと、を備える。【選択図】図１
2009267280.tif 000002
【特許請求の範囲】
【請求項１】
屋外に設置される電子機器を覆うカバー部材であって、
常時開放する第１の開口部と、
通常時は蓋によって閉止され、風圧を受けると前記蓋が弾性的に内側に変形して開放される第２の開口部と、を備えることを特徴とするカバー部材。
【請求項２】
前記第２の開口部が短冊形状を有し、前記蓋が該短冊形状の長手方向に沿って延びる一方の縁部で前記カバー部材に固定され、該一方の縁部と対向する他方の縁部で前記第２の開口部を開放する、請求項１に記載のカバー部材。
【請求項３】
前記蓋が、前記他方の縁部近傍で縁部で薄くなるテーパー形状を有する、請求項２に記載のカバー部材。
【請求項４】
前記第２の開口部が短冊形状を有し、前記蓋が該短冊形状の長手方向と直交する方向に沿って延びる２つの縁部で前記カバー部材に固定され、該短冊形状の長手方向に沿う双方の縁部で前記第２の開口部を開放する、請求項１に記載のカバー部材。
【請求項５】
前記カバー部材の外面と前記蓋の外面とが同一面内にある、請求項１〜４の何れか一に記載のカバー部材。
【請求項６】
前記カバー部材は、前記電子機器を直射日光から保護するサンシェードである、請求項１〜５の何れか一に記載のカバー部材。
【発明の詳細な説明】
【技術分野】
【０００１】
本発明は、カバー部材に関し、更に詳しくは、屋外に設置される電子機器を覆うカバー部材に関する。
【背景技術】
【０００２】
屋外に設置される電子機器、例えば携帯電話機の基地局装置（通信機器）は、電柱等の所定の構造材に取り付けられる。特許文献１は、このような通信機器の取付け構造を記載している。
【０００３】
図９を参照して、特許文献１に記載の屋外用通信機器の取付け装置について説明する。取付け装置２０は、取付け対象となる通信機器を内部に収容する筐体２１に、取付け固定される平板状の取付け台２２と、取付け台２２を電柱２３に取り付ける取付け金具２４と、筐体２１に収容された通信機器に接続された配線類２５を電柱２３に取り付ける金具２６とを備えている。
【０００４】
上記取付け装置２０では、通信機器が屋外に設置されることから、筐体２１が直射日光を受け、気温が高くなると通信機器が高温となり、悪影響を与える場合があった。これを回避するために、特許文献１には、筐体２１を、いわゆるサンシェード（カバー部材）で覆い、直射日光から保護することが記載されている。
【０００５】
ところで、風を遮るものが周囲にないような鉄塔の上等に、通信機器を設置した場合には、強風や暴風に伴う風圧（風圧力）を、サンシェードを含む取付け装置が直接受けることになる。
【０００６】
その際には、風圧力の方向と同方向に作用する抗力や、上方に作用する揚力によって、サンシェード本体だけでなく、取付け装置でボルト等を用いた取付け箇所に、大きなせん断力や曲げモーメントが発生することがある。また、場合によっては、共振現象によって取付け装置が激しく振動することもある。その結果として、取付け装置が、破損する可能性があった。
【０００７】
【特許文献１】特開平０７−１６２１５９号公報
【特許文献２】特開２００８−１０２６６号公報
【発明の開示】
【発明が解決しようとする課題】
【０００８】
破損を防止するため、取付け装置では、構成部材の板厚を厚くし、或いは、ボルト等の径を大きくする等、相応の補強を行うことで、大きな風圧力に対する耐性を確保することが考えられる。しかし、補強構造を採用すると、取付け装置の部品点数及び重量の増加、さらには、コストが高くなるという問題が生じる。
【０００９】
特許文献２には、被冷却体を屋外に設置した際に、外風による風圧力が冷却ファンの電動機への過負荷となることを抑制し、電動機が停止することのない耐風用の空冷式冷却器が記載されている。
【００１０】
空冷式冷却器は、被冷却体と、冷却ファンと、冷却風ダクトと、冷却風ダクトの冷却風出口側に設けられたカバー部材とを備えている。カバー部材は、複数の側面に冷却風出口としての開口部を有し、これらの開口部には、冷却風圧力の強弱に応じて開閉可能な可動扉が設けられている。可動扉は、冷却ファンが作動した際には、冷却風圧力により開口部を開とし、かつ、外風の風圧力が冷却ファンの冷却風圧力より大きい場合には、開口部を閉とするものである。
【００１１】
特許文献１に記載された取付け装置のサンシェード（カバー部材）に、特許文献２に記載された風圧力の強弱に応じて開口部を開閉する可動扉を有するカバー部材を適用すれば、相応の補強を行うことなく、風圧力への耐性を確保できると考えられる。例えば、サンシェードに開口部を形成し、該開口部に可動扉を配置すれば、風圧力が大きいときには可動扉が開いて、風が、開口部から内部に流れ込み、さらに外部に吹き抜けることで、風圧力を軽減できる。
【００１２】
しかし、特許文献２に記載された可動扉は、蝶番を有し、蝶番の回転運動により開閉可能となる。そのため、部品点数が増え、構造も複雑になるという問題があった。
【００１３】
本発明は、簡易な構造で風圧力を軽減できるカバー部材を提供することを目的とする。
【課題を解決するための手段】
【００１４】
上記目的を達成するために、本発明は、屋外に設置される電子機器を覆うカバー部材であって、
常時開放する第１の開口部と、
通常時は蓋によって閉止され、風圧を受けると前記蓋が弾性的に内側に変形して開放される第２の開口部と、を備えることを特徴とするカバー部材を提供する。
【発明の効果】
【００１５】
本発明のカバー部材によると、簡易な構造を採用しながらも、強風の際に発生する風圧力を軽減できる。
【発明を実施するための最良の形態】
【００１６】
以下、図面を参照し、本発明の例示的な実施の形態について詳細に説明する。
（第１の実施形態）
図１は、本発明の第１の実施形態に係るカバー部材を含む取付け装置を示す斜視図である。なお、同図（ａ）は、取付け対象となる電子機器が屋外に設置された状態を示す斜視図であり、また、同図（ｂ）及び（ｃ）は、取付け装置を構成する各部材と、電子機器を収容した筐体とを示す分解斜視図である。取付け装置１０は、電子機器を内部に収容する筐体１を、屋外に設置された設置用ストラクチャー２に取り付ける際に用いられる。なお、電子機器は、携帯電話機における基地局装置（以下、通信機器という）とする。
【００１７】
取付け装置１０は、設置用金具３と、カバー部材４と、カバー部材４に固定された蓋部材５とを備える。設置用金具３は、筐体１の背面に形成された固定部（同図（ｃ）参照）１ａに対応する位置に貫通孔３ａを有し、背面側からボルト６を貫通孔３ａに挿通させて固定部１ａに捻じ込むことで、筐体１に固定（締結）される。また、設置用金具３は、設置用ストラクチャー２に形成された取付け孔２ａ（同図（ａ）参照）に対応する位置に貫通孔３ｂを有し、表面側からボルト７を貫通孔３ｂに挿通させて取付け孔２ａに捻じ込むことで、設置用ストラクチャー２に固定される。即ち、設置用金具３は、通信機器を屋外に設置する際に、筐体１と設置用ストラクチャー２との間に配置された状態で筐体１及び設置用ストラクチャー２に固定される。
【００１８】
カバー部材４は、板金やグラスファイバー等で形成されたサンシェードであって、筐体１を覆うように固定されることで、筐体１を保護し、かつ、筐体１への直射日光を遮って、通信機器の温度上昇を抑える。なお、カバー部材４は、筐体１の固定部１ｂ（図１（ｂ）及び（ｃ）参照）に固定される。固定部１ｂは、筐体１の長手方向に沿った対向する側面の上端部及び下端部付近に形成されている。
【００１９】
カバー部材４は、固定部１ｂに対応する側面に貫通孔４ａを有し、筐体１を覆った状態でネジ８を貫通孔４ａに挿通させて固定部１ｂに捻じ込むことで、筐体１に固定される。ここで、固定部１ｂは、図示のように、側面から略垂直方向に所定距離だけ延びている。そのため、カバー部材４は、所定間隔（空隙）を隔てて筐体１に固定される。
【００２０】
カバー部材４は、図２（ａ）及び（ｂ）に示すように、常時開放している開口面４ｂと、４つの側面にそれぞれ１つ形成された短冊形状の開口部４ｃと、側面に比べて面積の大きい表面に２つ形成された同じく短冊形状の開口部４ｄとを備える。カバー部材４の各開口部４ｃ，４ｄには、図２（ｃ）及び（ｄ）に示すように、ネジやリベット等により蓋部材５が固定される。
【００２１】
図３は、蓋部材５の構成を示す図であり、同図（ａ）が蓋部材５の斜視図であり、同図（ｂ）が蓋部材５のＡ−Ａ線に沿った断面図である。蓋部材５は、図３（ａ）に示すように、長手方向に沿って延びる一方の縁部に複数の取付け穴５ａを有し、この取付け穴５ａにネジやリベット等を挿通して、短冊形状の上記各開口部４ｃ，４ｄの長手方向に沿って延びる一方の縁部に固定される（図２（ｃ）及び（ｄ）参照）。
【００２２】
蓋部材５は、主に合成樹脂や合成ゴム等の弾性体で形成されており、さらに、より大きな弾性力を得るために内部にテンションバー５ｂを有する。テンションバー５ｂは、ステンレス等の金属製のバネ材からなる補強材である。蓋部材５は、テンションバー５ｂと共に合成樹脂や合成ゴムと一体成形されている。
【００２３】
蓋部材５は、長手方向に直交する方向、即ちＡ−Ａ線に沿った方向での断面形状が、同図（ｂ）に示すように、略フィン形状となっている。略フィン形状とは、蓋部材５の一方の縁部で厚く、他方の縁部に近い程、薄くなる形状（テーパー形状）をいう。また、補強材であるテンションバー５ｂは、Ａ−Ａ線に沿った方向で配置されている。つまり、蓋部材５は、強度を保ちながら、他方の縁部で弾性変形し易い。
【００２４】
ここで、通信機器を屋外に設置することから、カバー部材４は、その表面や側面で大きな風圧力を受ける場合がある。なお、大きな風圧力としては、風速１５ｍ／ｓ以上の強風や、風速２５ｍ／ｓ以上の暴風に伴う圧力を想定している。この場合には、カバー部材４の各開口部４ｃ，４ｄの一方の縁部に固定された蓋部材５は、自身の他方の縁部で弾性変形する。そのため、各開口部４ｃ，４ｄの一方の縁部に対向する他方の縁部で、蓋部材５が各開口部４ｃ，４ｄを開放する。
【００２５】
さらに、蓋部材５は、通常時、即ちカバー部材４で受ける風圧力が小さいときは、自身の弾性力によりカバー部材４に面一で収まっている。つまり、カバー部材４の外面と蓋部材５の外面とが同一面内にある。このため、カバー部材４の各開口部４ｃ，４ｄは、通常時に蓋部材５により確実に閉止され、筐体１を直射日光から保護する。
【００２６】
このように、カバー部材４の各開口部４ｃ，４ｄは、通常時には、蓋部材５によって閉止され、また、大きな風圧力を受けたときは、蓋部材５が弾性変形することで開放（露出）される。
【００２７】
以下、図４を参照して、取付け装置１０が大きな風圧力を受けたときの動作について説明する。ここでは、一例として、取付け装置１０に衝突した風により生じた風圧力を、カバー部材４の表面で受ける場合について説明する。同図（ａ）は、取付け装置１０の正面を示し、また、同図（ｂ）は、同図（ａ）でのＢ−Ｂ線に沿った断面を示す。同図（ｃ）は、同図（ｂ）に示す点線で囲んだ領域Ｄを拡大して示し、また、同図（ｄ）は、同図（ａ）でのＣ−Ｃ線に沿った断面を示す。なお、同図（ｃ）及び（ｄ）では、風圧力の方向を、図中矢印で示すように、カバー部材４の表面に対して略直交する方向としたが、これに限定されない。
【００２８】
まず、取付け装置１０に強風や暴風が衝突すると、カバー部材４が、同図（ｃ）及び（ｄ）に示す風圧力を受ける。この風圧力により、通常時には開口部４ｄに面一に収まっていた蓋部材５が、同図（ｃ）に示すように、カバー部材４の内側に弾性変形して（同図矢印参照）、開口部４ｄを開放する。なお、カバー部材４の内側とは、筐体１とカバー部材４との間の空隙に位置する。
【００２９】
そのため、カバー部材４に衝突した風は、蓋部材５の弾性変形により開放された開口部４ｄから、同図（ｃ）に示すように、筐体１とカバー部材４との間の空隙に流れ込み、さらに、空隙からカバー部材４の開口面４ｂに吹き抜ける（同図矢印参照）。つまり、取付け装置１０は、カバー部材４の表面で直接受けた風を逃がすことができる。
【００３０】
本実施形態のカバー部材４を含む取付け装置１０によれば、以下の効果を奏する。即ち、風圧力を受けると蓋部材５が弾性変形し、開口部４ｃ，４ｄを開放するので、風圧力を軽減できる。また、蓋部材５自体が弾性変形するので、例えばヒンジや蝶番等の部材が不要であり、部品点数が増えることがなく、簡易な構造とすることができる。
【００３１】
また、取付け装置１０を構成する各部材への風圧力による負荷を軽減できる。なお、負荷とは、風圧力を受けることで発生する抗力や揚力により生じるカバー部材１０や各固定部等へのせん断力や曲げモーメントをいう。このため、各部材の板厚を厚くすることや、ネジ等の締結部材の径を大きくする等、風圧力を考慮した補強を過度に行う必要がない。言い換えると、ネジ等の締結部材の径を小さくすることや、各部材の板厚も薄くすることが可能となり、軽量化や低コスト化を図ることができる。
【００３２】
また、開口部４ｃ，４ｄを有するカバー部材４は、風を内部に取り込めるので、筐体１を冷却する効果も得られる。さらに、通常時には開口部４ｃ，４ｄが蓋部材５により閉止されるので、筐体１を直射日光から保護できる。
【００３３】
（第２の実施形態）
図５は、本発明の第２の実施形態に係るカバー部材を含む取付け装置を示す斜視図である。ここでの取付け装置１０Ａは、蓋部材の形状と、蓋部材がカバー部材の開口部に固定される位置とが、第１の実施形態の取付け装置１０と異なっている。以下、上記取付け装置１０と同一機能等を有する各部材には同一符号等を付して、説明を適宜省略する。
【００３４】
取付け装置１０Ａは、図示のように、通信機器を内部に収容する筐体１を、屋外に設置された設置用ストラクチャー２に取り付ける際に用いられ、設置用金具３と、カバー部材１１と、カバー部材１１に固定された蓋部材１２とを備える。設置用金具３は、筐体１を屋外に設置する際に、筐体１と設置用ストラクチャー２との間に配置された状態で筐体１及び設置用ストラクチャー２に固定される。
【００３５】
カバー部材１１は、図５に示すように、筐体１の固定部１ｂに固定されて、筐体１との間に空隙を形成している。カバー部材１１は、図６（ａ）及び（ｂ）に示すように、常時開放している開口面１１ａと、４つの側面にそれぞれ１つ形成された短冊形状の開口部１１ｂと、側面に比べて面積の大きい表面に２つ形成された同じく短冊形状の開口部１１ｃとを備える。各開口部１１ｂ，１１ｃには、図６（ｃ）及び（ｄ）に示すように、ネジやリベット等により蓋部材１２が固定される。
【００３６】
図７は、蓋部材１２の構成を示すもので、同図（ａ）が蓋部材１２の斜視図であり、同図（ｂ）が蓋部材１２のＥ−Ｅ線に沿った断面図である。蓋部材１２は、図７（ａ）に示すように、長手方向と直交する方向に沿って延びる対向する２つの縁部に複数の取付け穴１２ａを有する。蓋部材１２は、この取付け穴１２ａにネジやリベット等を挿通して、上記各開口部１１ｂ，１１ｃの長手方向と直交する方向に沿って延びる２つの縁部に固定される（図６（ｃ）及び（ｄ）参照）。
【００３７】
蓋部材１２は、補強材であるテンションバー１２ｂと共に合成樹脂や合成ゴムと一体成形された弾性体である。また、蓋部材は、長手方向、即ちＥ−Ｅ線に沿った方向での断面形状が、同図（ｂ）に示すように、凸形状となっている。さらに、テンションバー１２ｂは、Ｅ−Ｅ線に沿った方向で配置されている。つまり、蓋部材１２は、強度を保ちながら、長手方向に沿った中央部で弾性変形し易い。
【００３８】
上記構造を採用したことにより、蓋部材１２は、大きな風圧を受けると、中央部付近でより弾性変形して、カバー部材１１の各開口部１１ｂ，１１ｃの双方の縁部で、各開口部１１ｂ，１１ｃを開放する。なお、蓋部材１２は、通常時には、カバー部材１１に面一で収まっており、筐体１を直射日光から保護する。
【００３９】
以下、図８を参照して、取付け装置１０Ａが大きな風圧力を受けたときの動作について説明する。同図（ａ）は、取付け装置１０Ａの正面を示し、また、同図（ｂ）は、同図（ａ）でのＧ−Ｇ線に沿った断面を示す。同図（ｃ）は、同図（ｂ）に示す点線で囲んだ領域Ｈを拡大して示し、また、同図（ｄ）は、同図（ａ）でのＦ−Ｆ線に沿った断面を示す。まず、取付け装置１０Ａに強風や暴風が衝突すると、カバー部材１１が、同図（ｃ）及び（ｄ）に示す風圧力（図中矢印参照）を受ける。この風圧力により、通常時には開口部１１ｃに面一に収まっていた蓋部材１２が、同図（ｃ）及び（ｄ）に示すように、カバー部材１２の内側に弾性変形し、開口部１１ｃの長手方向に沿う双方の縁部で開口部１１ｃを開放する。
【００４０】
開口部１１ｃの開放により、カバー部材１１に衝突した風は、開口部１１ｃの双方の縁部からカバー部材１１の内側に流れ込み、続いて、空隙からカバー部材１１の開口面１１ａに吹き抜ける（図中矢印参照）。このとき、蓋部材１２は、同図（ｄ）に示すように、開口部１１ｃの長手方向に沿う中央部でより内側に弾性変形しており、流れ込む風量は、蓋部材１２の中央付近でより大きくなる。このように、取付け装置１０Ａは、蓋部材１２が風圧力に応じて弾性変形することで、カバー部材１１の表面で直接受けた風を逃がすことができる。
【００４１】
本実施形態のカバー部材１１を含む取付け装置１０Ａによれば、第１の実施形態の取付け装置１０と同様な効果を奏し、さらに、風圧力を受けると蓋部材１２が弾性変形し、開口部１１ｂ，１１ｃの双方の縁部から風が流れ込むので、風圧力をより軽減できる。
【００４２】
上記各実施形態では、カバー部材４，１１の開口部４ｃ，４ｄ、１１ｂ，１１ｃの形状として短冊形状を示したが、これに限定されず、蓋部材５，１２の弾性変形により、カバー部材４，１１で受ける風圧力を軽減できる程度の開口面積があれば、適宜の形状であってもよい。また、カバー部材４，１１の開口部４ｃ，４ｄ、１１ｂ，１１ｃの位置や数は、筐体１が設置される屋外での風向きや風圧力等を考慮して、適宜変更してもよい。
【００４３】
また、カバー部材４，１１の開口部４ｃ，４ｄ、１１ｂ，１１ｃで蓋部材５，１２を固定する位置は、蓋部材５，１２の弾性変形により、開放できるのであれば、開口部４ｃ，４ｄの長手方向に沿って延びる一方の縁部や、開口部１１ｂ，１１ｃの長手方向と直交する方向に沿って延びる２つの縁部に限られず、適宜の位置であってもよい。
【００４４】
さらに、蓋部材５，１２の形状として、長手方向と直交する方向の断面がテーパー状となるものや、長手方向の断面が凸形状となるものを示したが、これに限定されない。即ち、通常時には開口部４ｃ，４ｄ、１１ｂ，１１ｃを閉止し、かつ、風圧力を受けると弾性変形して開口部４ｃ，４ｄ、１１ｂ，１１ｃを開放するものであれば、蓋部材は、適宜の形状であってもよい。
【００４５】
本発明のカバー部材は、その一態様として、屋外に設置される電子機器を覆うカバー部材であって、常時開放する第１の開口部と、通常時は蓋によって閉止され、風圧を受けると蓋が弾性的に内側に変形して開放される第２の開口部と、を備える。
【００４６】
上記構成により、通常時には第２の開口部が蓋により閉止されることで、電子機器を直射日光から保護できる。また、風圧力を受けると蓋が弾性変形して第２の開口部が開放されることで、第２の開口部から第１の開口部に風が吹き抜ける。その結果として、風圧力を軽減できる。さらに、第２の開口部を開閉する蓋自体が弾性変形するので、例えばヒンジや蝶番等の部材が不要であり、部品点数が増えることがなく、簡易な構造とすることができる。
【００４７】
また、本発明のカバー部材では、以下の態様の採用が可能である。
【００４８】
第２の開口部が短冊形状を有し、蓋が該短冊形状の長手方向に沿って延びる一方の縁部でカバー部材に固定され、該一方の縁部と対向する他方の縁部で第２の開口部を開放する。この場合には、第２の開口部の一方の縁部に蓋が固定されているので、蓋が内側に弾性変形すれば、第２の開口部の他方の縁部から風が流れ込み、さらに、第１の開口部から吹き抜けることになる。
【００４９】
蓋が、他方の縁部近傍で縁部で薄くなるテーパー形状を有する。これにより、蓋は、強度を保ちつつ、風圧力に応じて弾性変形し易い。
【００５０】
第２の開口部が短冊形状を有し、蓋が該短冊形状の長手方向と直交する方向に沿って延びる２つの縁部でカバー部材に固定され、該短冊形状の長手方向に沿う双方の縁部で第２の開口部を開放する。この場合には、第２の開口部が開放された際に、第２の開口部の双方の縁部から風が流れ込み、さらに、第１の開口部から吹き抜ける。その結果として、風圧力をより軽減できる。
【００５１】
カバー部材の外面と蓋の外面とが同一面内にある。これにより、通常時に第２の開口部が蓋により確実に閉止される。また、カバー部材は、電子機器を直射日光から保護するサンシェードである。
【００５２】
以上、本発明をその好適な実施形態に基づいて説明したが、本発明のカバー部材は、上記実施形態の構成にのみ限定されるものではなく、上記実施形態の構成から種々の修正及び変更を施したものも、本発明の範囲に含まれる。
【図面の簡単な説明】
【００５３】
【図１】（ａ）〜（ｃ）は、本発明の第１の実施形態に係るカバー部材を含む取付け装置を示す斜視図。
【図２】（ａ）〜（ｄ）は、図１でのカバー部材を示す斜視図。
【図３】（ａ）及び（ｂ）は、図１でのカバー部材に固定される蓋部材を示す図。
【図４】（ａ）〜（ｄ）は、図１に示す取付け装置が大きな風圧力を受けたときの状態を示す図。
【図５】（ａ）〜（ｃ）は、本発明の第２の実施形態に係るカバー部材を含む取付け装置を示す斜視図。
【図６】（ａ）〜（ｄ）は、図５でのカバー部材を示す斜視図。
【図７】（ａ）及び（ｂ）は、図５でのカバー部材に固定される蓋部材を示す図。
【図８】（ａ）〜（ｄ）は、図５に示す取付け装置が大きな風圧力を受けたときの状態を示す図。
【図９】従来の取付け装置の構成を示す図。
【符号の説明】
【００５４】
１：筐体
２：設置用ストラクチャー
３：設置用金具
４，１１：カバー部材
４ｂ，１１ａ：開口面
４ｃ，４ｄ，１１ｂ，１１ｃ：開口部
５，１２：蓋部材
５ａ，１２ａ：取付け穴
５ｂ，１２ｂ：テンションバー
１０，１０Ａ：取付け装置
【図１】
2009267280.tif 000003
【図２】
2009267280.tif 000004
【図３】
2009267280.tif 000005
【図４】
2009267280.tif 000006
【図５】
2009267280.tif 000007
【図６】
2009267280.tif 000008
【図７】
2009267280.tif 000009
【図８】
2009267280.tif 000010
【図９】
2009267280.tif 000011